Podtech/llm-jp-corpus-v4-ja_patent huggingface dataset:
(57)【要約】【課題】使い方が簡単であり、自然環境へ悪影響を及ぼすことなく長期間に渡って確実な鳥獣忌避作用を発揮し、製造も容易な鳥獣忌避剤を提供する。【解決手段】従来のコーキング材に鳥類の忌避する植物エキスを練り込んだものを用いる。【選択図】なし【特許請求の範囲】
【請求項１】
カラスが忌避する成分とコーキングとして使用される半流動体の樹脂材料を攪拌したことを特徴とするカラス用忌避剤
【請求項２】
請求項１記載のカラスが忌避する成分は、カプサイシン、ハッカ油などの植物由来のものであることを特徴とするカラス用忌避剤
【請求項３】
請求項１記載の樹脂材料はポリウレタン、シリコン、変性シリコンから少なくとも一種を選ぶことを特徴とするカラス用忌避剤
【請求項４】
請求項１記載の樹脂材料は２液型コーキングの硬化剤に練り込んだことを特徴とするカラス用忌避剤
【発明の詳細な説明】
【技術分野】
【０００１】本発明は、ポリウレタン、ハッカ油、カプサイシン等を主成分とする害鳥、害獣等の忌避剤に関するものである。
【背景技術】
【０００２】従来のコーキング剤には害鳥獣に対する忌避効果はなく、目地埋めや防水等の効果を得るためのものでしかなかった。
【発明が解決しようとする課題】
【０００３】近年、窓ガラスの周りや折板屋根のボルト部分のコーキングがカラスによってついばまれたり食いちぎられたりするという事象が多く見られるようになってきた。
【０００４】そこで本発明はコーキングにカラスなどの嫌う植物エキスを練り込むことで鳥類忌避効果を持たせ、従来と同じ工法で容易に施工でき、安全かつ効果的な害鳥類忌避剤を提供することを課題とする。
【課題を解決するための手段】
【０００５】請求項１記載の本発明は、カラスが忌避する成分をポリウレタンに練り込んだことを特徴とするカラス用忌避剤である
【０００６】請求項２記載の本発明は、前記カラスが忌避する成分は、カプサイシン、ハッカ油などの植物由来のものであることを特徴とする請求項１に記載のカラス用忌避剤である。
【０００７】請求項４記載の本発明は、２液型コーキングの硬化剤に請求項２のカラスが忌避する成分を練り込んだことを特徴とするカラス用忌避剤である。
【発明の効果】
【０００８】本発明は従来のコーキング材の防水や隙間充填等の効果の他に、ハッカ油、カプサイシンを練り込んだことによりカラスを忌避することができる。
【発明を実施するための形態】
【０００９】本発明は従来、防水や隙間充填に使用されるコーキング材にカラスや他の鳥類が忌避するハッカ油、カプサイシンを練り込むことによりカラス及び鳥類に対する忌避効果を持つコーキング材とした。
【００１０】本発明のハッカ油・カプサイシンの含有量は本発明１００重量部に対し、ハッカ油・カプサイシンを５重量部から２０重量部とすることが好ましい。
【実施例】
【００１０】請求項１記載の本発明を既存のコーキングの上から重ねて施工することで、カラスがついばんだ際にカラスの嫌う成分を感じ、忌避効果を発揮する。【００１１】請求項４又は５記載の本発明を従来の２液型コーキングと同様にポリウレタンと混ぜ合わせ施工することで、カラスがついばんだ際にカラスの嫌う成分を感じ、忌避効果を発揮する。
(57)【要約】【課題】使い方が簡単であり、自然環境へ悪影響を及ぼすことなく長期間に渡って確実な鳥獣忌避作用を発揮し、製造も容易な猿用忌避剤を提供する。【解決手段】生分解性油、猿忌避性を有する物質よりなる猿忌避剤。また、前記猿忌避性を有する物質がカプサイシン、ハッカ油などから選ばれることを特徴とする猿用忌避剤。【選択図】なし【特許請求の範囲】
【請求項１】
猿が忌避する成分と半流動体である生分解性潤滑油を攪拌したことを特徴とする猿用忌避剤
【請求項２】
前記猿が忌避する成分は、カプサイシン、ハッカ油などの植物由来のものであることを特徴とする請求項１に記載の猿用忌避剤
【発明の詳細な説明】
【技術分野】
【０００１】本発明は、生分解性潤滑油、ハッカ油、カプサイシン等を主成分とする害獣の忌避剤に関するものである。
【背景技術】
【０００２】従来の害獣等の忌避剤は、それらの動物が嫌うであろう思われる各種物質を分析し、それと同質の物質を各種方法により化学的に合成または混合するものであった。
【発明が解決しようとする課題】
【０００３】従来の忌避剤は、忌避される動物に害を与えるおそれがあり、大量に使用すると環境を損なうおそれがあった。
そこで本発明は、忌避しようとする当該動物自体に害を与えることなく、自然環境にも悪影響を与えることのない動物の忌避剤およびその忌避方法を提供することを課題とする。
【課題を解決するための手段】
【０００４】請求項１に記載の本発明は、猿が忌避する成分を生分解性油に攪拌し練り込んだことを特徴とする猿用忌避剤である
【０００５】請求項２記載の本発明は、請求項１において、前記猿が忌避する成分は、カプサイシン、ハッカ油などの植物由来のものであることを特徴とする請求項１に記載の猿用忌避である。
【発明の効果】
【０００６】猿の嫌がる植物性エキスと生分解性潤滑油を使用したため、長期間に渡って忌避効果が持続し、人体、動物及び農作物にも安全な忌避剤となった。
【発明を実施するための形態】
【０００７】生分解性潤滑油にハッカ油、カプサイシンを練り込むことで農作物等に害を及ぼすこと無く猿や害獣を忌避することができる。
【０００８】本発明のハッカ油・カプサイシンの含有量はポリウレタン１００重量部に対し、ハッカ油・カプサイシンの含有量は５重量部から２０重量部にすることが好ましい。
【実施例】
【０００９】本発明を猿が農作物を狙う際に通る、塀やフェンスの上に施工することで猿が忌避剤に接触し、嫌悪感を生じさせ忌避効果を発揮する。
(57)【要約】【課題】長尺シートなどのジョイント溝部分を壁際まで切削できる、端まで切れる溝切りカッターを提供する。【解決手段】本体の先端に設けた切削刃の切削方向後方よりガイドを突出させた、端まで切れる溝切りカッターを特徴とする。【選択図】図１
2014198371.tif 000002
【特許請求の範囲】
【請求項１】
本体の一端に切削刃を設け、前記切削刃先端部分よりも切削方向後方より、前記切削刃の前方に突出させた一部が、前記切削刃に隣接するガイドを設けた、端まで切れる溝切りカッター。
【請求項２】
本体の一端に切削刃を設け、前記切削刃の切削方向前方に備えたガイド台やガイドが前記切削刃先端部分より後方に可動する、端まで切れる溝切りカッター。
【発明の詳細な説明】
【技術分野】
【０００１】この発明は、長尺シートなどのジョイント溝部分の施工に使用する、端まで切れる溝切りカッターに関するものである。
【背景技術】
【０００２】従来、長尺シートのジョイント溝部分にビニール溶接を行なう前工程で、Ｕ字やＶ字形状の溝を切削刃により切削し溶接溝を作る。前記道具の形状は、沿わせた切削刃が前記ジョイント溝から逸れないよう誘導するために、切削刃の前方にガイド台を備え前記ガイド台にガイドを設けている。前記溝の切削時、ガイドを溝に入れ込み沿わせ滑らせ、切削刃によりシートのジョイント溝部分を切削し溶接溝を作っていた。
【先行技術文献】
【０００３】
【特許文献１】特許公開２０１１−２５２３２９号公報
【特許文献２】登録実用新案第３１３２３５０号公報
【発明の概要】
【発明が解決しようとする課題】
【０００４】これは次のような欠点があった。
従来、長尺シートのジョイント部分の溝をＵ字やＶ字形状に切削する道具は、切削刃が前記溝から逸れないように切削するための手段として切削刃よりも切削方向前方にガイドを設けるためのガイド台が有るため、前記ガイド台が障害物となり、壁際部分などは前記ジョイント溝を端部まで切れなかった。又、切削刃の前方にガイドのないものは使用時、前記ジョイント溝部分から逸れて長尺シートを切り損じ、傷つけるという欠点があった。
本発明は、以上のような欠点をなくすためになされたものである。
【課題を解決するための手段】
【０００５】本体▲１▼の切削方向先端に、切削刃▲３▼の後方より前記切削刃先端部分に突出させたガイド▲２▼を設け、後部にガイドピン▲４▼とローラー▲５▼を設ける。
本発明は以上の構成よりなる端まで切れる溝切りカッターである。
【発明の効果】
【０００６】本発明は長尺シートなどのジョイント溝の切削を行う際、切削方向の先端部分に向かって切削刃の後方よりガイドを突出させる構造により、シートジョイント部分の壁際などを切削する時でも、ガイドを備えつけるガイド台などの障害物がなくなるので、前記溝にガイドを沿わせ滑らせ端部まで切削できるので、彫刻刀などで端部を切削し直すことがなくなり作業効率が向上し仕上がりも良い。
【図面の簡単な説明】
【０００７】
【図１】本発明の斜視図である。
【図２】本発明の側面図である。
【図３】本発明の先端部分正面図である。
【図４】本発明の可動式ガイド台の先端側面図である。
【図５】従来の溝切りカッターの斜視図及び側面図である。
【図６】従来の溝切りカッターの斜視図及び先端拡大図である
【発明を実施するための形態】
【０００８】以下、本発明を実施するための形態について説明する。
本体▲１▼の切削方向先端部分に切削刃▲３▼を設け、前記切削刃の後方より、前記切削刃の前方へ突出するガイド▲２▼を設け、前記ガイドの突出させた先端部分を前記切削刃前方に隣接させる。後部ローラー▲５▼付近にガイドピン▲４▼を設ける。
本発明は以上のような構造である。
これを使用する際は、ジョイント溝▲６▼に前記ガイドと前記ガイドピンを入れ、本体を持ち切削刃方向に滑らせ溶接溝を切削する。ガイド台など障害物となる部分を設けなくてよいので、壁際までジョイント溝を切削すればよい。
【符号の説明】
【０００９】▲１▼  本体
▲２▼  ガイド
▲３▼  切削刃
▲４▼  ガイドピン
▲５▼  ローラー
▲６▼  溶接溝（ジョイント溝）
▲７▼  ガイド台
【図１】
2014198371.tif 000003
【図２】
2014198371.tif 000004
【図３】
2014198371.tif 000005
【図４】
2014198371.tif 000006
【図５】
2014198371.tif 000007
【図６】
2014198371.tif 000008
(57)【要約】【課題】  トヨタ社製・ヴォクシー及びノアに車椅子を載せて走行する際に、揺さぶられることを防止するために、安全かつ確実に固定する。また日常的に使用することから、容易に固定できることを目的とした車椅子固定装置を提供する。【解決手段】  同車両の最後部右側のシートの取付け位置を利用して、折りたたんだ状態の車椅子のタイヤの部分を、囲うような形の箇所に差し込むように上から降ろして固定する。また車両の前後の揺れに対応するために、車椅子のフレームを支える箇所を設けた。【選択図】図２
2014198236.tif 000002
【特許請求の範囲】
【請求項１】
トヨタ社製、ヴォクシー及びノアの座席シート位置を利用して固定し、タイヤを輪で囲むようにした部分にタイヤを載せ、かつ、転がらないようにタイヤを輪で囲むようにした部分から車椅子の支える構造箇所を設けた車椅子固定装置。
【発明の詳細な説明】
【技術分野】
【０００１】  この発明は、介護用途に設計・改造された（トヨタ社製・ヴォクシー及びノア）車両のうち、車椅子を安全かつ容易に固定することを目的とし、その結果、車両走行中に車椅子が揺さぶられる事なく車室内の安全性を高めるために発明された車椅子固定装置である。
【背景技術】
【０００２】  従来、介護用途に設計・改造された（トヨタ社製・ヴォクシー及びノア）車両（以下「当該車両」とする）の車室内に車椅子を固定する装置は存在しておらず、車椅子を積むならば車室内後部の荷室に積むのが最も考えられる方法であった。
【先行技術文献】
【０００３】
【特許文献１】
【発明の概要】
【発明が解決しようとする課題】
【０００４】  技術背景に基づき、以下のような欠点があった。
車椅子を固定する装置が設計されていない当該車両においては、積むスペースがあったとしても、車両走行中に揺さぶられることを防止するベルト等が無く、結果的に車両に乗車する人に衝突するなどの危険性が懸念された。身体の不自由な方にとって車椅子とは生活する上で必需的な物であり、車で移動する際には積まなくてはならない物である。
本発明は車椅子を安全に固定すること、かつ、数ある移動手段の中でも車は使用する頻度が高いものであることに鑑み、できる限り容易に固定できることを考慮するためになされたものである。
【課題を解決するための手段】
【０００５】  ・車イスが確実に固定できるように、折りたたんだ車椅子のタイヤの部分を、タイヤを輪で囲むようにした部分に上から差し込むように固定する。また、車両の前後の揺れにより車椅子が後ろへ転がらないように、タイヤを輪で囲むようにした部分から、車椅子のフレームを固定する箇所を設けた。
・本発明は車椅子の重量を支えるために材質は金属製を選定したが、そのまま使用すると車椅子のフレーム部分がこすれて傷がついてしまうので、本発明品にスポンジ等の柔らかい素材を用いて、車椅子を固定した際に傷がつかないように考慮した。
【発明の効果】
【０００６】  本発明は、車椅子を安全かつ容易に固定することを目的としたものであるので、その結果として当該車両に車椅子を載せる際に、車両のシートの位置との間隔を確保することができ、車室内により多くの荷物を載せることが可能となった。
また車椅子をしっかり固定することから安全性が確保され、かつ、車両内のスペースを確保することにより、車両に乗る者が感じる圧迫感の低下、及び安心感を得ることができた。
日常的に使用することを想定しながら発明したという経緯から、「安全かつ気軽に収納できる」という目的が達成された。
【図面の簡単な説明】
【０００７】
【図１】本発明に車椅子を固定した状態を上部から見た図面である。
【図２】本発明に車椅子を固定した状態を横から見た図面である。
【図３】本発明に車椅子を固定した状態を正面から見た図面である。
【図４】本発明の傾斜図面である。
【発明を実施するための形態】
【０００８】  以下、本発明を実施するための形態について説明する。
・当該車両の最後部の右側のシート固定ボルト位置に、本発明品の取付け部Ａ（１）及びＢ（２）を取り付ける。なお取り付けの際には、シート固定ボルトを使用する。
・当該車両の最後部の右側シートの床面にあるフック取付けボルト位置に、本発明品の取付け部Ｃ（３）を取り付ける。なお取り付けの際には、フック取付けボルトを使用する。
・これを使用する際には、車椅子後転防止部（固定部Ａ）（４）側に車椅子の先端が支えられるように向きを合わせ、車椅子横転防止部（固定部Ｂ）（５）に車椅子のタイヤを上から置くようにして固定する。
・固定装置補強部（６）は、上下の衝撃に車椅子の固定を支えられるように設けたものである。
【符号の説明】
【０００９】（１）本発明品の取付け部Ａ
（２）本発明品の取付け部Ｂ
（３）本発明品の取付け部Ｃ
（４）車椅子後転防止部（固定部Ａ）
（５）車椅子横転防止部（固定部Ｂ）
（６）本発明品の固定装置補強部
【図１】
2014198236.tif 000003
【図２】
2014198236.tif 000004
【図３】
2014198236.tif 000005
【図４】
2014198236.tif 000006
(57)【要約】      （修正有）【課題】一足の短下肢装具で、ＴＰＯや季節に合わせてデザインや保温性、通気性等の変更が容易な構造を提供する。【解決手段】短下肢装具のつま先部分だけを簡単に着脱、交換可能にする。【選択図】図１０
2014198225.tif 000002
【特許請求の範囲】
【発明の詳細な説明】
【発明が解決しようとする課題】
・現在一般的にある短下肢装具は、夏は暑く蒸れやすい。
・くつ底が扁平で歩行しづらい。
・くつのつま先部分が丸い物しかなく、ＴＰＯに合わせた（スーツにも似合う様な）おしゃれな装具がない。
【発明が解決しようとする手段】
短下肢装具のくつのつま先部分をマジックテープを使用し、簡単に着脱出来る様にする事により、冬は暖かく、夏は涼しく、オールシーズン快適に過ごす事が出来る様にする。
くつのつま先部分を細くスマートにする事により、ＴＰＯに合わせた（スーツにも似合う様な）おしゃれな装具にする。
くつ底に土踏まずを作り歩行しやすくする。
カラフルな色・柄を変更出来る様にしたりサイズも様々な人に対応出来る様にし、使用者のニーズに合った装具を作成する事で、四季を通じ快適に過ごせ、障害者になっても、気持ちを明るく持つ事が出来、夢を持ち元気におしゃれに、出掛ける機会が増える様に願い提案する。
［図１］［図２］［図３］は１番最初に作成した短下肢装具です。
［図１］［図２］の説明
装具とくつの部分が取り外せない。
［図３］の説明
土踏まずがなく扁平である。
［図４］［図５］［図６］［図７］は２回目に作成した短下肢装具です。
［図４］［図５］［図６］［図７］の説明
装具部分とくつ部分が取り外せる様になった。
しかし夏は暑く蒸れた。
［図８］［図９］［図１０］［図１１］が改良点を考えて作成した短下肢装具である。
［図８］［図９］の説明
１、）装具とくつの部分が取り外せる。
２、）くつの先端部分を細くスマートにしＴＰＯ（スーツ着た時）に、似合う様になった。
３、）くつの先端部分が取り外せて、サンダルの様になるので、夏涼しく蒸れから解放された。
［図１０］［図１１］の説明
くつの先端部分はマジックテープで簡単に着脱出来る。
［図１２］
くつ底に土踏まずを作る事で、歩行しやすくなった。
【図１】
2014198225.tif 000003
【図２】
2014198225.tif 000004
【図３】
2014198225.tif 000005
【図４】
2014198225.tif 000006
【図５】
2014198225.tif 000007
【図６】
2014198225.tif 000008
【図７】
2014198225.tif 000009
【図８】
2014198225.tif 000010
【図９】
2014198225.tif 000011
【図１０】
2014198225.tif 000012
【図１１】
2014198225.tif 000013
【図１２】
2014198225.tif 000014
【手続補正書】
【提出日】平成25年6月17日(2013.6.17)
【手続補正１】
【補正対象書類名】明細書
【補正対象項目名】全文
【補正方法】変更
【補正の内容】
【発明の詳細な説明】
【発明が解決しようとする課題】
・現在一般的にある短下肢装具は夏は暑く蒸れやすい。
・くつ底が扁平で歩行しづらい
・くつのつま先部分が丸い物しかなく、ＴＰＯに合わせた（スーツにも似合う様な）おしゃれな装具がない。
【発明が解決しようとする手段】
短下肢装具のくつのつま先部分をマジックテープを使用し、簡単に着脱出来る様にする事により、冬は暖かく夏は涼しく、オールシーズン快適に過ごす事が出来る様にする。くつのつま先部分を細くスマートにする事により、ＴＰＯに合わせた（スーツにも似合う様な）おしゃれな装具にする。
くつ底に土踏まずを作り歩行しやすくする。
カラフルな色・柄を変更出来る様にしたり、サイズも様々な人に対応出来る様にし、使用者のニーズに合った装具を作成する事で、四季を通じ快適に過ごせ、障害者になっても、気持ちを明るく持つ事が出来、夢を持ち元気におしゃれに出掛ける機会が増える様に願い提案する。
【図面の簡単な説明】
【図１】従来の短下肢装具（靴一体型）です。（側面）
【図２】従来の短下肢装具（靴一体型）です。（正面）
【図３】従来の短下肢装具（靴一体型）です。（くつ底部分）
【図４】従来の短下肢装具（靴は別型）です。（装具に靴をはかせた状態）
【図５】従来の短下肢装具（靴は別型）です。（それぞれを分けた状態）
【図６】従来の短下肢装具（靴は別型）です。（装具に靴をはかせた状態）図４と重複しています
【図７】従来の短下肢装具（靴は別型）です。（装具に靴をはかせた状態）（側面）
【図８】改良点を考えて作成した短下肢装具（つま先部分を着けた状態）
【図９】改良点を考えて作成した短下肢装具（つま先部分を外した状態）（夏季用）
【図１０】着脱可能のつま先部分（上から見た状態）上部裏側にマジックテープを着ける。
【図１１】着脱可能のつま先部分（靴底部分）
【図１２】改良点を考えて作成した短下肢装具（靴底部分）  土踏まずを作る事で、歩行しやすくなった。
【手続補正２】
【補正対象書類名】特許請求の範囲
【補正対象項目名】全文
【補正方法】追加
【補正の内容】
【特許請求の範囲】
【請求項１】
短下肢装具の取り外し可能なつま先部分。
(57)【要約】【課題】  従来の図形描画パズルは、描画作業が単純で殆ど脳力を使うことが無く、パズルとしての興趣が乏しかった。【手段】  線の情報を記号化した点を画面上に配置して、図形描画パズルの問題図を作成する。【選択図】図１
2014198222.tif 000002
【特許請求の範囲】
【請求項１】
線の端点（１）、線が交差や接触する位置と、この位置に係る線の数を数字等で表記した点（２）、直線の通過点（３）、曲線の通過点（４）、を記号化した図形描画パズル。
【発明の詳細な説明】
【技術分野】
【０００１】  本発明は、問題として提示された図形を描画させるために、線の情報を記号化した点を画面上に配置するパズルに関するものである。
【背景技術】
【０００２】  図形描画パズルとしては、画面上の点に順番を示す数字が付記してあり、数字を追いながら点を線で繋ぐことで図形が描画できる「点つなぎ」が知られている。【０００３】
【非特許文献１】  雑誌  「てんつなぎランド」  ぶんか社刊  ２０１３年
【発明の概要】
【発明が解決しようとする課題】
【０００４】  上記の「点つなぎ」は、少しずつ図形が現れる喜びはあるが、図形を描画するために推理力等を働かせることが少なく、パズルとしての興趣も乏しかった。
【課題を解決するための手段】
【０００５】  線の端点（１）、線が交差や接触する位置と、この位置に係る線の数を数字等で表記した点（２）、直線の通過点（３）、曲線の通過点（４）、を記号化し、この記号化した点を画面上に配置してパズルを作成する。【０００６】  記号化した点（２）に表記される数字は、点（２）に係る線を描くために直線定規やコンパスを使った回数であり２以上で上限は無い、また表記は数字に限らず賽の目等を用いても良い。
【発明の効果】
【０００７】  本発明は、複数の記号化した点の配置と、点が持つ情報を関連づけて推理しながら図形を描画するので興趣豊になり、脳力トレーニングにも資するパズルとなる。
【図面の簡単な説明】
【０００８】
【図１】  記号化した点の用例図である。
【図２】  パズルの問題図である。（実施例１）
【図３】  パズルを解くための補助線等を残した解答図である。
【図４】  パズルの問題図である。（実施例２）
【図５】  パズルの解答図である。
【発明を実施するための形態】
【０００９】  パズル問題は、描画すべき図形を言葉や縮尺図で示し、描画に必要十分な数の記号化した点を画面上に配置して作成する。
描画すべき図形を複雑にすること、記号化した点を最小限に用いること等で難易度の高いパズル問題を作成できる。また、同じ図形を素材にしても、記号化した点を付与する位置や種類を変えれば、違うパズル問題となる。
【００１０】  パズル問題の解答は、言葉や縮尺図で示された図形を、複数の記号化した点の配置と点が持つ情報を関連づけ、幾何学知識等も使って推理し、図形を描画する。
【実施例１】
【００１１】  図２の問題の解き方の例は以下に記すが、図３の補助線等を参照すれば理解を得易い。
１、曲線の通過点が３個あるので円を描画できる。
２、数字４を表記した点は、この問題では正方形と正三角形の頂点が接触していると推      理できるので、接触している点から９０度と６０度をなす線が描ける点を探す。
３、初めに描画した円から外れた数字２を表記した点は、正方形の頂点と推理できるの      で、正方形の大きさと位置が決まる。
４、正三角形は、正方形で使われなかった数字２を表記した点と、直線の通過点および      数字４を表記した点によって描画することができる。
【実施例２】
【００１２】  図４、の問題は、言葉で平易に表現しずらい絵画的図形なので、描画すべき図形は言葉と縮尺図を併せて示してある。
描画すべき図形と合わせ全体として興趣ある絵となるように、付加の絵を予め描き起こしているので、図形完成後塗り絵としても楽しめる。
【産業上の利用可能性】
【００１３】  パズルの専門誌や問題集が書店の一角を占めており、出版業界のパズルに対する需要は増大している。【００１４】  図面作成ソフトはモニター画面上で自由に線を描けるので、本発明と組合せればパソコンやスマートフォン上で遊べるパズルゲーム問題ソフトを容易に製作できる。
【符号の説明】
【００１５】  １  線の端点。
２  線が交差や接触する位置と、この位置に係る線の数を数字で表記した点。
３  直線の通過点。
４  曲線の通過点。
５  描画すべき図形の説明文。
６  描画すべき図形の縮尺図。
【図１】
2014198222.tif 000003
【図２】
2014198222.tif 000004
【図３】
2014198222.tif 000005
【図４】
2014198222.tif 000006
【図５】
2014198222.tif 000007
(57)【要約】【課題】外周にコンロ等の火を遮るための遮蔽体２を設け、裏側に突起部４を設けたフライパン１及びフライパンの内側側壁面を含む焼き面全てに密着させた形状の蓋体５を作製したことにより、蓋体５にアルミホイル８を被せフライパンの形状にかたどりし、それをフライパン本体１に装着しアルミホイル８の残余部分をフライパンの上端７に巻きつけ固定することにより、フライパンの焼き面が、アルミホイルに覆われたフライパンとすることができ、同時に遮蔽体２が設けられているため調理時火がアルミホイル８に直接あたることがなく、さらに使用後はそのアルミホイルを取り外すだけで清掃が簡単であり、また裏側に突起部４を設けたことで、フライパンの一部に脂が集まるため肉に脂が再付着しないフライパン１及びフライパンの蓋体５を提供する。【解決手段】外周に遮蔽体２を設け裏側に突起部４を設けたフライパン１及びフライパンの内側側壁面を含む焼き面全てに密着させた形状の蓋体５を作製する。【選択図】図２
2014198221.tif 000002
【特許請求の範囲】
【請求項１】
外周にコンロ等の火を遮るための遮蔽体を設け裏側に突起部を設けたフライパン及びフライパンの内側側壁面を含む焼き面全てに密着させた形状の蓋体。
【請求項２】
フライパンの底を傾斜させかつ、波型にし、脂溜めを設けた請求項１記載のフライパン及び蓋体。
【発明の詳細な説明】
【技術分野】
【０００１】本発明は、フライパンに脂汚れ等が付着しないフライパン及び蓋体に関する。
【背景技術】
【０００２】フライパンに肉片や脂がこびりつき、使用後の清掃はとても面倒であった。
【発明の概要】
【発明が解決しようとする課題】
【０００３】上記の実状に鑑みこの発明は、フライパン本体の外周にコンロ等の火を遮るための遮蔽体を設け裏側に突起部を設けたフライパン及びフライパンの内側側壁面を含む焼き面全てに密着させた形状の蓋体を、作製したことにより、この蓋体にアルミホイルをかぶせ、フライパンの形状に型どりしたものをフライパン本体に装着し、アルミホイルの残余部分をフライパンの上端に巻き込むことにより、アルミホイルが固定されフライパンの焼き面が、アルミホイルに覆われたフライパンとすることができ、遮蔽体が設けられているため調理時火がアルミホイルに直接あたることがない。また、裏側に突起部を設けたことで、フライパンが傾き、脂が一ケ所に集まることで肉に脂が再付着しないようになり、さらに使用後はアルミホイルを取り外すだけで清掃が簡単であるフライパンおよび蓋体を提供することをその目的とするものである。【０００４】また、請求項２では、フライパンの底を傾斜させかつ波型にし、脂溜めを設け、また蓋体もこのフライパンの内側側壁面を含めた焼き面とほぼ同一形状であることから、肉の脂を脂溜めにためることが可能なアルミホイルを作製するができる。
【課題を解決するための手段】
【０００５】上記目的を達成するために本発明に関するフライパンと蓋体は、それぞれ、外周に遮蔽体を設け裏側に突起部を設けたフライパンと、フライパンの内側側壁面を含む焼き面全てに密着させた形状の蓋体からなる。【０００６】以下本発明に係る蓋体ならびにフライパンについて説明する
本発明の蓋体によれば、蓋体が本フライパンの内側側壁面を含む焼き面の形状とほぼ同一であるためアルミホイルをこれに被せフライパンの形状にかたどりすることでフライパンにフィットさせるアルミホイルを作製することができ、また、フライパン本体の外周には、遮蔽体が設けられているためこのアルミホイルの残余部分をフライパンの上端に巻きつけ固定することで調理時火がアルミホイルに直接あたることがない。さらに裏側に突起部を設けたことで、肉に脂が再付着しないようになる。また、使用後は、アルミホイルを外すことにより、グリル本体には汚れが付着しないので、後片付けが簡単である。【０００７】請求項２では、底を傾斜させかつ、波型にし、脂溜めを設けたことで脂が波型の傾斜をつたい脂だめに落としながら肉を焼くことができるアルミホイルを作製することができるため同上の効果を得る。
【発明の効果】
【０００８】使用後は、フライパン本体に汚れが付着していないため、アルミホイルを外すだけなので、後片付けが簡単である。
【図面の簡単な説明】
【０００９】
【図１】本発明フライパン及び蓋体の第一及び第二の一実施例を示す平面図
【図２】本発明フライパン及び蓋体の一実施例を示すＡ−Ａ断面図
【図３】本発明フライパン及び蓋体の一実施例を示すＢ−Ｂ断面図
【図４】本発明蓋体の正面図
【図５】本発明第二の実施例を示すＡ−Ａ断面図
【図６】本発明第二の実施例を示すＢ−Ｂ断面図
【図７】本発明第二の実施例を示す蓋体の正面図
【図８】本発明フライパンのアルミホイルを装着した第二の実施例を示すＢ−Ｂ断面図
【発明を実施するための形態】
【００１０】本発明を実施するための形態を図面に基づいて説明する。
【実施例１】
【００１１】図においてフライパン本体１の外周に遮蔽体２を設け、裏側に突起部４を設けた。５は蓋体、９は蓋取っ手部、１０はフライパン把持部で、蓋体５は、フライパンの内側側壁面を含めた焼き面とほぼ同一形状であるため、この蓋体を逆にし、アルミホイル８を被せ、フライパンの形状に型どりしたものをフライパン本体１に装着する。アルミホイル８の残余部分をフライパンの上端７に巻き込むことにより、アルミホイル８がフライパン１に固定でき、フライパン１の焼き面が、アルミホイル８に覆われたフライパンとすることができ、フライパン本体の外周には、遮蔽体２が設けられているためアルミホイル８をフライパンの上端７に巻きつけ固定することで調理時火がアルミホイル８に直接あたることがない。また、裏面に設けた突起部４によりフライパンが傾くことで肉に脂が再付着しないようになる。さらに使用後は、グリル本体１に脂汚れ等が付着していないため、アルミホイル８を外すだけで後片付けが簡単である。
【実施例２】
【００１２】請求項２では、フライパン１の底を傾斜させかつ波型３にし、脂溜め６を設け、また蓋体５もこのフライパン１の内側側壁面を含めた焼き面とほぼ同一形状であることから、肉の脂が脂溜め６にためることができるアルミホイルを作製することで、同上の効果を得る。
【産業上の利用可能性】
【００１３】本発明は、洗い物を少なくすることで時間を短縮でき、環境にも優しい。
【符号の説明】
【００１４】１フライパン
２遮蔽体
３傾斜波型
４突起部
５蓋体
６脂溜め
７フライパン上端部
８アルミホイル
９蓋取っ手部
１０フライパン把持部
【図１】
2014198221.tif 000003
【図２】
2014198221.tif 000004
【図３】
2014198221.tif 000005
【図４】
2014198221.tif 000006
【図５】
2014198221.tif 000007
【図６】
2014198221.tif 000008
【図７】
2014198221.tif 000009
【図８】
2014198221.tif 000010
(57)【要約】【課題】従来は、建造物の解体を重機を使ってするとき、解体により発生するほこり等の飛散ほ防止するため、解体現場の危険な場所で人によりホースで水の散布作業を行っていた。【解決手段】これまでの、建造物の解体作業に人を使わず重機に新たに散水設備機を組み込み、タンク内の水をポンプで吸い上げキャビン内の切り替えスイッチで、重機アームの上部先端部よりホースをとおして、噴出ノズルから水を解体物に散布する事で、解体で発生するほこりが周囲へ飛散する状況を防止することが出来る作業として提供、使用することが出来る。【選択図】図１
2014198980.tif 000002
【特許請求の範囲】
【請求項１】
重機による建造物の解体作業で、バケット等での建造物の解体作業時、解体物が潰れる時に発生するほこり等が周囲に飛散するのを防止するため、これまでの重機のウエートの上部等に新たに散水設備機を設置し、作業前にタンク内に水を給水することで解体作業を始めるとき、キャビンの内切り替えスイッチによりタンク内の水をポンプで吸い上げ、ホースをとうしてアーム上部先端より解体物に対して解体作業を進めながら水を散布し、ほこりが周囲に飛散するのを防止出来るように使用できる解体用重機。
【発明の詳細な説明】
【技術分野】
【０００１】この発明は、今までは重機を使って建造物を解体するとき、建造物の破壊時にほこり等が発生していたので、建造物解体用重機に散水設備機を新たに組み込み、キャビンでの操作でタンクの水をポンプで吸い上げ、重機アームの先端上部に取り付けられた噴出ノズルより解体物に水を散布し、解体時に発生するほこり等の飛散を防ぐ機能を組み込んだ建造物解体用重機。
【背景技術】
【０００２】現在、建造物の解体時、解体によるほこりが発生するのを少なくするため、人を使って危険な状況下でホースによる水の散布作業を行っていたが、安全のため人を使用しなくても解体場所への水の散布が出来ることが望まれていた。
【発明の概要】
【発明が解決しようとする課題】
【０００３】これまでは、次のような欠点があった、これまでは重機を使っての建造物解体時、人が危険な場所でのホースによる水の散布を行っていたので、重機キャビン内での操作により重機から解体場所に直接水を自由に散布出来るようにと考えられたものである。
【課題を解決する為の手段】
【０００４】これまでのように、重機による建造物の解体時、あらかじめ重機のウエートの上部等にタンクなどの散水設備機をセットしておくことで、建造物の解体時キャビン内での切り替えスイッチでの操作により、ポンプによりタンク内の水を吸い上げホースにより水をとおして、アーム先端上部に取り付けられた噴出ノズルから水を、解体場所へ解体作業をしながら散布することで、解体により発生するほこり等の飛散を防ぐようにと、重機に解体作業時の水の散布機能を新たに組み込んだ、水の散布機能付き建造物解体用重機。
【発明の効果】
【０００５】重機により建造物の解体作業をするとき、重機に取り付けられた散水設備機のタンク内の水をポンプにより吸い上げ、重機アーム先端上部に取り付けられた噴出ノズルから水を散布する事で、建造物の危険な解体場所での人によるホースの水散布をしなくても、重機キャビンからの操作で直接解体場所へ水を散布でき、解体によるほこり等の飛散を防ぐ作業として提供することが出来る。
【図面の簡単な説明】
【０００６】
【図１】解体用重機側面図
【図２】アーム．バケット上部平面図
【図３】タンクからキャビンそしてアーム噴出口の配置図
【発明を実施する為の形態】
【０００７】以上、本願発明の実施の形態について説明する。
重機による建造物の解体作業時、解体により建造物を潰すときに発生するほこり等の飛散を防止するために、重機のウエート等の上部空間に散水設備機を組み込み、あらかじめタンク内に水を給水しておき解体作業に入ったとき、キャビン内の切り替えスイッチでタンク内の水をポンプで吸い上げ、ホースにより水を流し重機アーム先端上部に取り付けられた噴出ノズルから解体物へ水を散布する事で、解体物付近に水が散布されバケット等を使用し解体作業を行っても、解体によるほこり等の飛散を防止することが出来る解体作業として使用することが提供できる。
【符号の説明】
【０００８】▲１▼重機
▲２▼足廻り
▲３▼キャビン
▲４▼アーム
▲５▼油圧シリンダ
▲６▼バケット
▲７▼ウエート
▲８▼タンク
▲９▼タンク給水口
▲１０▼排水弁
▲１１▼ポンプ吸入パイプ
▲１２▼ホース
▲１３▼ポンプ
▲１４▼キャビン内切り替えスイッチ
▲１５▼噴出ノズル
▲１６▼電源
▲１７▼コード
▲１８▼トランス
【図１】
2014198980.tif 000003
【図２】
2014198980.tif 000004
【図３】
2014198980.tif 000005
(57)【要約】      （修正有）【課題】軽石や、ザラザラした材質の付いたブラシ型の器具を取りたい角質の部分に当て擦り取るのであるが、擦るほうの部分が硬い平面に近いものである為、強く当たる部分と当たらない部分が生じ思うように取れず又薄い皮膚に傷を付けたり、などの欠点があり、その欠点を改善し、表面の要らないものを削り落とすために作られた手袋を提供する。【解決手段】擦って削る表面が鱗状になった手袋１であり、表面全体を鱗状に加工された素材の生地で出来ており、手袋の構成されている素材の断面で２層構造で出来ており、鱗状に表面加工された部分と、内側の手を保護する為の素材で出来た部分からなり、皮膚の余分な角質を取りたい部分だけが自由に擦れ、他の皮膚を取り過ぎて傷を付けずに済む手袋。【選択図】図１
2014198927.tif 000002
【特許請求の範囲】
【請求項１】
擦って削る表面が鱗状になった手袋
【発明の詳細な説明】
【技術分野】
【０００１】本発明は皮膚の要らない角質を取る事に関するものである。
【背景技術】
【０００２】従来、直接、皮膚の角質取る道具には、軽石や沢山のギザギザの細かい突起の付いたブラシのような器具があった。
【先行技術文献】
【特許文献】
【０００３】
【発明の概要】
【発明が解決しようとする課題】
【０００４】従来、軽石や、ザラザラした材質の付いたブラシ型の器具を取りたい角質の部分に当て擦り取るのであるが、擦るほうの部分が硬い平面に近いものである為、強く当たる部分と当たらない部分が生じ思うように取れず又薄い皮膚に傷を付けたり、などの欠点があった。
【課題を解決するための手段】
【０００５】表面を鱗状に加工された素材で出来た手袋をはめ表面にある鱗状の部分を取りたい角質に当て擦ることで取りたい角質だけが取れるようにした手袋。
【発明の効果】
【０００６】本手袋を使用することで、皮膚の余分な角質を取りたい部分だけが自由に擦れ、他の皮膚を取り過ぎて傷を付けずに済んだ
【図面の簡単な説明】
【０００７】
【図１】全体図
【図２】素材の断面図
【発明を実施するための形態】
【０００８】以下、本発明を実施する為の形態を説明する
図１の（１）は本体で、表面全体を鱗状に加工された素材の生地で出来ており（２）は手袋をはめた時ずれないようゴムの入った部分
なおこの手袋は右左どちらでも使用できる。
図２は手袋の構成されている素材の断面で２層構造で出来ており（３）は鱗状に表面加工された部分で（４）は内側の手を保護する為の素材で出来た部分。
【符号の説明】
【０００９】（１）    全体図
（２）    ゴムを入れて絞った部分
（３）    鱗状に加工された部分
（４）    手を保護する為の部分
【図１】
2014198927.tif 000003
【図２】
2014198927.tif 000004
(57)【要約】【課題】本発明はテープの取り付けが簡単かつテープ台本体の幅方向の中央部に取り付ける事が出来るテープカッターに関する。【解決手段】（１）テープ台本体と、遊挿孔を設けた２つの（２）調整部と、２つの前記（２）調整部へ回転可能に遊挿する軸部を有する（８）挟持部と、２つの前記（２）調整部へ遊挿する（５）加圧部と、引き出した粘着テープを切断するための（９）カッター刃とを備え、前記（８）挟持部で粘着テープを回転可能かつ前記（１）テープ台本体の幅方向の中央で挟持する。前記（１）テープ台本体は螺設され、前記（２）調整部が螺嵌される。前記（２）調整部の目盛を合わせると粘着テープは前記（１）テープ台本体の幅方向の中央で挟持される。その際、前記（５）加圧部で前記（８）挟持部をテープ幅方向の内側へ加圧する。前記（８）挟持部は弾性を有し、（１０）取り出し用空間を設け、（C）挟持部凸部分が設けてある。【選択図】図１
2014198624.tif 000002
【特許請求の範囲】
【請求項１】
（１）テープ台本体と、
遊挿孔を設けた２つの（２）調整部と、
２つの前記（２）調整部へ回転可能に遊挿する軸部を有する（８）挟持部と、
２つの前記（２）調整部へ遊挿する（５）加圧部と、
引き出した粘着テープを切断するための（９）カッター刃とを備え、
前記（８）挟持部で粘着テープを回転可能かつ前記（１）テープ台本体の幅方向の中央で挟持する。この様な構成を特徴とするテープカッター。
【請求項２】
（１）テープ台本体は螺設され、（２）調整部が螺嵌されることを特徴とする請求項１に記載のテープカッター。
【請求項３】
（２）調整部の遊挿孔には（A）調整部凸部分が形成され、（８）挟持部の軸部には（B）挟持部凹部分が形成される。前記（A）調整部凸部分と前記（B）挟持部凹部分によりテープ幅方向の外側へ螺送する前記（２）調整部に前記（８）挟持部が連動することを特徴とする請求項１又は請求項２に記載のテープカッター。
【請求項４】
（５）加圧部は（２）調整部に遊挿される（６）弾性部材と（７）加圧部材から成り、（８）挟持部をテープ幅方向の内側へ加圧する。テープ幅方向の内側へ螺送する前記（２）調整部に前記（８）挟持部が加圧されながら連動して、挟持する位置で粘着テープと圧接することを特徴とする請求項１から請求項３のいずれかに記載のテープカッター。
【請求項５】
（２）調整部には取付予定のテープ幅が（４）目盛に記されていて、テープ幅方向へ螺送する前記（２）調整部に（８）挟持部が連動して前記（４）目盛で合わせた取付予定のテープを挟持する位置にくることを特徴とする請求項１から請求項４のいずれかに記載のテープカッター。
【請求項６】
前記（８）挟持部は弾性を有し、粘着テープを取り出し易くする為に（１０）取り出し用空間を設け、粘着テープを安定に挟持する為に（C）挟持部凸部分が設けてあることを特徴とする請求項１から請求項５のいずれかに記載のテープカッター。
【発明の詳細な説明】
【技術分野】
【０００１】
本発明はテープの取り付けが簡単かつ短時間で出来て、幅の違うテープに交換する際でもテープ台本体の幅方向の中央に簡単かつ短時間で取り付ける事が出来るテープカッターに関する。
【背景技術】
【０００２】
従来のテープカッターはテープを保持する回転軸を取り外してテープを取り付けていた。またテープを取り付ける際にテープ台本体の幅方向の中央に取り付ける事が簡単には出来なかった。
【発明の概要】
【発明が解決しようとする課題】
【０００３】
従来のテープカッターはテープを保持する回転軸を取り外してテープを取り付けていた。またテープを取り付ける際にテープ台本体の幅方向の中央部に取り付ける事が簡単には出来なかった。
【課題を解決するための手段】
【０００４】
（１）テープ台本体と、
遊挿孔を設けた２つの（２）調整部と、
２つの前記（２）調整部へ回転可能に遊挿する軸部を有する（８）挟持部と、
２つの前記（２）調整部へ遊挿する（５）加圧部と、
引き出した粘着テープを切断するための（９）カッター刃とを備え、
前記（８）挟持部で粘着テープを回転可能かつ前記（１）テープ台本体の幅方向の中央で挟持する。
前記（１）テープ台本体は螺設され、前記（２）調整部が螺嵌される。前記（２）調整部の遊挿孔には（A）調整部凸部分が形成され、前記（８）挟持部の軸部には（B）挟持部凹部分が形成される。前記（A）調整部凸部分と前記（B）挟持部凹部分によりテープ幅方向の外側へ螺送する前記（２）調整部に前記（８）挟持部が連動する。前記（５）加圧部は前記（２）調整部に遊挿される（６）弾性部材と（７）加圧部材から成り、前記（８）挟持部をテープ幅方向の内側へ加圧する。テープ幅方向の内側へ螺送する前記（２）調整部に前記（８）挟持部が加圧されながら連動して、挟持する位置で粘着テープと圧接する。前記（２）調整部には取付予定のテープ幅が（４）目盛に記されていて、テープ幅方向へ螺送する前記（２）調整部に前記（８）挟持部が連動して前記（４）目盛で合わせた取付予定のテープを挟持する位置にくる。前記（８）挟持部は弾性を有し、粘着テープを取り出し易くする為に（１０）取り出し用空間を設け、粘着テープを安定に挟持する為に（C）挟持部凸部分が設けてある。
【発明の効果】
【０００５】
本発明のテープカッターはテープを取り付ける際、テープを保持する回転軸を取り外すという無駄を無くし、テープの取り付けが簡単かつ短時間で出来て、幅の違うテープに交換する際にもテープはテープ台本体の幅方向の中央に簡単かつ短時間で取り付けられる。
【図面の簡単な説明】
【０００６】
【図１】本発明の平面図である。
【図２】本発明に粘着テープを取り付けた際の側面図である。
【図３】テープ台本体の平面断面図である。
【図４】（２）調整部、（６）弾性部材、（７）加圧部材、（８）挟持部の分解平面図である。
【図５】調整部の平面断面図と側面図である。
【図６】加圧部材の平面図と側面図である。
【図７】挟持部の平面断面図と側面図である。
【符号の説明】
【０００７】
（１）テープ台本体
（２）調整部
（３）ネジ部
（４）目盛
（５）加圧部
（６）弾性部材
（７）加圧部材
（８）挟持部
（９）カッター刃
（１０）取り出し用空間
（１１）粘着テープ
（A）調整部凸部分
（B）挟持部凹部分
（C）挟持部凸部分
【図１】
2014198624.tif 000003
【図２】
2014198624.tif 000004
【図３】
2014198624.tif 000005
【図４】
2014198624.tif 000006
【図５】
2014198624.tif 000007
【図６】
2014198624.tif 000008
【図７】
2014198624.tif 000009
(57)【要約】【課題】本発明は、水周り用品について、簡単且つ安価な装置を設置することで、水はけを促す。これにより従来では水が留まる箇所を乾燥することができ、水垢の付着を防止し、手入れを容易にすることを目的とする。【解決手段】本体１のような形状で、頭部２、側面３ は丸みを帯びており、頭部２を水が溜まる箇所に密着しないが、溜まる水が触れるぐらいの少し離れた箇所に設置し、水が頭部２から側面３を通って流れ落ちるようにする。【選択図】図１
2014198606.tif 000002
【特許請求の範囲】
【請求項１】
本体１のような形状で、頭部２、側面３のように丸みを帯びた形状を特徴とする装置であり、水が滞留する箇所に、頭部２が密着はしないが、溜まる水が触れるぐらいの少し離れた箇所に設け、水はけを促す装置。
【請求項２】
請求項１記載の装置をあらかじめ備えるもの。
【請求項３】
請求項１、または請求項２において、水以外の液体に用いるもの。
【発明の詳細な説明】
【技術分野】
【０００１】
本発明は、液体、特に水が留まる箇所において、
水はけを促して、乾燥させ、水垢の付着を防止し、手入れを容易にする装置に関する。
【背景技術】
【０００２】
従来、例えばボトルなどの容器とポンプヘッドの間に水が溜まり、放置すると水垢や汚れが付着していた。
他にも蛇口の根本のように、キッチンや風呂場などにも水が溜まる箇所があり、同様に放置すると、水垢や汚れが付着していた。
【発明の概要】
【発明が解決しようとする課題】
【０００３】
従来、このような箇所の水垢、汚れを解消するのは、定期的に清掃する以外に解決する手段はなく、その作業は非常に面倒であった。本発明は、液体、特に水の滞留を解決するものである。
【課題を解決するための手段】
【０００４】
この課題を解決するために本発明は、本体１のような装置を設置する。
水が滞留する箇所に、頭部２が密着はしないが、溜まる水が触れるぐらいの少し離れた箇所に設ける。
【発明の効果】
【０００５】
以上のように本発明によれば、簡単且つ安価な装置を設けることで、滞留するはずの水が、装置を伝わり自然と排水され、水垢等の汚れ付着を防止する。これにより速乾性に優れ、衛生的で、水周りの手入れを容易にすることを目的としている。
【図面の簡単な説明】
【０００６】
【図１】本発明の斜視図
【図２】本発明の正面図
【図３】本発明の側面図
【図４】本発明の実施例１
【図５】本発明の実施例２
【発明を実施するための形態】
【０００７】
以下、本発明の実施の形態について説明する。
頭部２、側面３はある程度の丸みが必要である。頭部２は密着はしないが、溜まる水が触れるぐらいの少し離れた箇所に設ける。頭部２は、細すぎると水はけが途中で途切れる。また側面３は短すぎると水はけが悪いため、ある程度の長さが必要である
【実施例】
【０００８】
図４（ａ）はボトルなどの容器に本発明を設置した例となる。ボトル本体とポンプヘッドの間に水が溜まる箇所に、本発明を設置している。
図４（ｂ）は容器に水がかかり、そのときに溜まった水が本装置を通して排出される様子を示す。容器とポンプヘッドの間に水が、本装置の側面３を通って、排出される。
【０００９】
図５（ａ）はポンプヘッドと容器本体が垂直になっている例となる。容器の形に沿って本発明の本体を曲げると、水が排出される。
図５（ｂ）は容器に水がかかり、そのときに溜まった水が本装置を通して排出される様子を示す。
【符号の説明】
【００１０】
１  本体
２  頭部
３  側面
４  後部
５  水の溜まる箇所
６  水
７  水の流れ
【図１】
2014198606.tif 000003
【図２】
2014198606.tif 000004
【図３】
2014198606.tif 000005
【図４】
2014198606.tif 000006
【図５】
2014198606.tif 000007